【事件の表示】
　特願２０１５−５４３２９５「電子デバイス、リソース表示方法、プログラム及び記録媒体」拒絶査定不服審判事件〔平成２７年　３月　５日国際公開、ＷＯ２０１５／０２７６８８、平成２８年　３月１０日国内公表、特表２０１６−５０７９１７〕について、次のとおり審決する。
【結　論】
　本件審判の請求は、成り立たない。
【理　由】
第１　手続の経緯
　本願は、２０１４年２月１９日（パリ条約による優先権主張外国庁受理２０１３年８月３０日、中国）を国際出願日とする出願であって、その手続の経緯は以下のとおりである。
　平成２７年　５月２６日　　：手続補正書の提出
　平成２８年　７月２８日付け：拒絶理由通知書
　平成２８年１１月　１日　　：意見書、手続補正書の提出
　平成２９年　６月２１日付け：拒絶査定
　平成２９年１０月２６日　　：審判請求書、手続補正書の提出
　平成３０年１１月　６日付け：拒絶理由通知書（当審）
　平成３１年　２月　５日　　：意見書、手続補正書の提出
第２　本願発明
　本願の請求項に係る発明は、特許請求の範囲の請求項１ないし１２に記載された事項により特定されるものと認められるところ、その請求項１に係る発明（以下、「本願発明」という。）は、以下のとおりのものである。
　なお、Ａ〜Ｊについては、説明のために当審にて付したものである。（以下、「構成Ａ」〜「構成Ｊ」という。）
（本願発明）
「Ａ１　ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種と、
　Ａ２　ＴＶインターフェースと、
　Ａ３　ネットワークインターフェースとを含む
　Ａ　ハードウェアインターフェースと、
　Ｂ　前記各ハードウェアインターフェースとそれぞれ電気的に接続された制御チップ、及び、
　Ｃ　前記制御チップと電気的に接続されたディスプレイとを含み、
　Ｄ　前記ハードウェアインターフェースには、それぞれ、同一の信号源を接続するか、或いは、互いに異なる信号源を接続し、各々の信号源は、前記ハードウェアインターフェースを用いて、少なくとも一種のアプリケーションリソースを提供し、
　Ｅ　前記ネットワークインターフェースは、タイプの異なる複数のアプリケーションリソースを提供する遠隔サーバに接続し、
　Ｆ　前記制御チップは、プロセッサ及びメモリを含み、
　Ｇ　前記制御チップは、
　Ｇ１　各ハードウェアインターフェースにより提供するアプリケーションリソースを以下のように複数の組に分け、ここで、各組のアプリケーションリソースが同じ操作階層を有し、
　Ｇ２　前記ＴＶインターフェースにより提供する全てのアプリケーションリソースを、一組のアプリケーションリソースに分け、
　Ｇ３　前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する全てのアプリケーションリソースを、一組のアプリケーションリソースに分け、
　Ｇ４　前記ネットワークインターフェースにより提供するタイプの異なる複数のアプリケーションソースをタイプの種類ごとに複数の組のアプリケーションリソースに分け、
　Ｇ５　ここで、前記アプリケーションリソースのタイプは、テレビアプリケーションリソース、ローカル再生アプリケーションリソース、オンライン映画テレビアプリケーションリソース、ゲームアプリケーションリソース、イメージアプリケーションリソース、ミュージックアプリケーションリソース、システムアプリケーションリソースの中の少なくとも一種を含み、
　Ｈ　また、前記制御チップは、所定のレイアウトによって配列された幾つかのカードエリアを含むメインインターフェースの表示信号を生成し、ここで、一組のアプリケーションリソースが一つのカードエリアに対応し、アプリケーションリソースが存在しないハードウェアインターフェースが少なくとも一つのカードエリアに対応するように構成し、
　Ｉ　前記ディスプレイは、前記表示信号に基づいて前記メインインターフェースを表示させる
　Ｊ　ことを特徴とする電子デバイス。」
第３　当審における拒絶の理由
　平成３０年１１月６日付けで当審が通知した拒絶理由は、次のとおりのものである。
　この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
・請求項：１〜１２ 
・引用文献等：１〜３
＜引用文献等一覧＞
１．国際公開第２００９／０８８９５２号 
２．特開２００６−２９３３２１号公報 
３．特開２０１０−２７３１７９号公報 
第４　引用文献
（１）引用文献１の記載事項および引用発明
（１−１）引用文献１の記載事項
　当審が通知した拒絶理由に、引用文献１として引用された国際公開第２００９／０８８９５２号には、「ON SCREEN TELEVISION INPUT MANAGEMENT」（発明の名称）として図面とともに以下の事項が記載されている。
　なお、括弧内は、当審で作成した仮訳であり、下線は、説明のために当審にて付したものである。
[0003] 
Television systems provide a set of connectors to receive multiple input sources.
An input source
a digital versatile disk (DVD) device, a cable or satellite receiver
Connector types for receiving these input sources include
S-Video connectors,
HDMI connectors
（
テレビシステムは、複数の入力源を受信するために一組のコネクタを提供する。入力源は、
デジタルバーサタイルディスク（ＤＶＤ）装置、ケーブル若しくは衛星受信機、
入力源を受信するためのコネクタタイプは、
Ｓ−ＶＩＤＥＯコネクタ、
ＨＤＭＩコネクタ、
を含むものである。
[0026] Figure 1 is a diagram of one embodiment of a television system 103 that manages input sources. The figure depicts an example configuration with possible input sources that are each connected to a television system 103. 
The example television system 103 includes the television monitor
is connected to a number of other devices including
personal computer 107 and DVD player 109.
（図１は、入力源を管理するテレビシステム１０３の一実施形態の図である。この図は、各々がテレビシステム１０３に接続可能である入力源との構成例を示している。
例示したテレビシステム１０３は、テレビモニタ
パーソナルコンピュータ１０７、ＤＶＤプレーヤ１０９を含む多くの他の装置に接続されている。
[0028] The television system 103 can be designed to accommodate any number of connections 111A-D. 
The television system 103 can also be configured to support any type of connections including
S-Video,
HDMI, DVI,
universal serial bus (USB),
and similar connection types and signal communication mediums.
An input source can be connected to the television system 103 through any of the connection types that it supports or through multiple connections types.
（テレビシステム１０３は、接続１１１Ａ−Ｄの任意の数に適応するように設計され得る。
テレビシステム１０３は、
Ｓ−ＶＩＤＥＯ、
ＨＤＭＩ、ＤＶＩ、
ユニバーサルシリアルバス（ＵＳＢ）、
と同様の接続タイプ及び信号通信媒体を含む任意の接続タイプをサポートするように構成され得る。入力源は、それがサポートする接続タイプのいずれかを介して、または複数の接続タイプを介して、テレビシステム１０３に接続され得る。
[0030] The audio and video output of the television system can be driven by input sources or generated by the processor and software of the television system 103 itself. The television system 103 can also intermix the input sources with its own generated content. For example, 
the television system 103 can generate user interface menus (e.g., the on screen display (OSD) menu) to be displayed through the television monitor.
（テレビシステムのオーディオおよびビデオ出力は、入力源によって駆動されるか、又はそれ自身のテレビシステム１０３のプロセッサおよびソフトウェアによって生成されることができる。テレビシステム１０３は、それ自体の生成されたコンテンツを入力源に混ぜることもできる。例えば、
テレビシステム１０３は、テレビモニタを介して表示されるユーザインタフェースメニュー（例えば、オンスクリーンディスプレイ（ＯＳＤ）メニュー）を生成することができる。
[0034] Other devices such as the playback devices and gaming consoles, primarily supply an input video and audio signal to the television system 103 that can be selected for display. Some of these devices can be combined with one another or with the system 103. For example, 
a personal computer 107,
may be combined with the television system 103 to share the same housing. Such combination television systems 103 may have components that share a printed circuit board and communicate their signals directly across such a board without the use of external connectors. Any type of communication medium or protocol can be used across a printed circuit board or similar medium
（再生装置やゲーム機などのような他の装置は、主として、表示のために選択され得るテレビシステム１０３に対して入力ビデオ及びオーディオ信号を供給する。これらの装置のいくつかは、互いにまたはシステム１０３と組み合わせることができる。例えば、
パーソナルコンピュータ１０７、
は、同一のハウジングを共有するために、テレビシステム１０３と組み合わされてもよい。このようなコンビネーションテレビシステム１０３は、プリント回路基板を共有し、外部コネクタを使用することなくそのような基板を直接横切って信号を通信する構成要素を有することができる。任意のタイプの通信媒体またはプロトコルは、プリント回路基板または同様の媒体を横切って使用され得る。
[0037] Additional resources can be connected through networks such as local area networks (LANs), wide area networks (WANs), such as the Internet 213, or through similar types of networks. Additional devices that can then communicate directly or indirectly with the television system 103 
can include remote computers 215, 217(e.g., websites),
（追加のリソースは、ローカルエリアネットワーク（ＬＡＮ）、ワイドエリアネットワーク（ＷＡＮ）など、インターネット２１３などのネットワークを介して、若しくは同様のタイプのネットワークを介して接続されることができる。そして、テレビシステム１０３と直接または間接的に通信することができる追加のデバイスは、
遠隔コンピュータ２１５、２１７（例えば、ウェブサイト）、
を含むことができる。
[0039] 
Figure 3 is a diagram of one embodiment of an on screen display menu. The example display is a simplified illustration of the menu that the television system can generate and display to a user through the television monitor
grant access to content
video on demand (VOD) 311
（
図３は、オンスクリーンディスプレイメニューの一実施形態の図である。例示されたディスプレイは、テレビシステムがテレビモニタを介してユーザに対して生成及び表示できるメニューの簡略図
ビデオオンデマンド（ＶＯＤ）３１１
コンテンツへのアクセスを許可する
[0040] Some user interface options offer access to or control over other input sources For example, selection of a PC Games 307 or
 Internet 309 option may both invoke applications on an attached computer. 
selection of the Internet 309 can invoke a web browser on the attached computer 
（いくつかのユーザインタフェースオプションは、他の入力源へのアクセス又は制御を提供する。例えば、「ＰＣゲーム」３０７又は
「インターネット」３０９オプションの選択は、ともに、接続されたコンピュータ上のアプリケーションを呼び出すことができる。
「インターネット」３０９の選択は、接続されたコンピュータ上でウェブブラウザを起動し、
[0041] In one embodiment, 
the on screen display system displays the navigation options as simple icons that label each of the available input sources.
The type and layout of the icons can be configured by the user or automatically selected.
（一実施形態では、
オンスクリーンディスプレイシステムは、利用可能な入力源のそれぞれを標識する簡単なアイコンとしてナビゲーションオプションを表示する。
アイコンの種類及びレイアウトは、ユーザによって構成されるか、自動的に選択されることができる。
[0055] 
If a user input is received that confirms a selection, then the on screen display system initiates an action to switch to the confirmed television input source
（
選択を確認するユーザ入力が受信された場合、オンスクリーンディスプレイシステムは、確認されたテレビ入力源
に切り替わる動作を開始する。
[0085] The input ports 803 can include any number or type of audio or video input ports. 
The input ports can include HDMI inputs, DVI inputs,
S-video inputs,
input ports 803 can be in direct or indirect communication with the processing device 801.
（入力ポート８０３は、任意の数又はタイプのオーディオ又はビデオ入力ポートを含むことができる。
入力ポートは、ＨＤＭＩ入力、ＤＶＩ入力、
Ｓ−ＶＩＤＥＯ入力、
を含むことができる。
入力ポート８０３は、処理装置８０１と直接または間接的に通信することができる。
[0086] 
The processing device 801 generates and integrates the on screen display
generate a set of output signals for the display device 805
 The processing device 801 controls the selection of input source
The processing device 801 can be a general purpose processor 
storage device
（
処理装置８０１は表示装置８０５
に対して１組の出力信号を生成する
オンスクリーンディスプレイを生成しまとめる。処理装置８０１は、
入力源の選択を制御し、
処理装置８０１は、
記憶装置
汎用プロセッサであることができる
（１−２）引用発明
　上記記載、並びにこの分野における技術常識を考慮し、引用文献１に記載された発明（以下、「引用発明」という。）を以下で検討する。
（ａ）段落００２６の記載から、引用文献１のテレビシステム１０３はパーソナルコンピュータ１０７と接続しているものであり、図１、図２の記載からもテレビシステム１０３とパーソナルコンピュータ１０７が、何らかの有線若しくは無線によって接続していることが見てとれる。
　また、段落００３４には、テレビシステム１０３とパーソナルコンピュータ１０７を組み合わせて同一のハウジングを共有し、プリント回路基板を共有するコンビネーションテレビシステム１０３が記載されている。
　すなわち、テレビシステム１０３とパーソナルコンピュータ１０７の関係に関して、引用文献１には、パーソナルコンピュータ１０７が接続しているテレビシステム１０３の構成と、テレビシステム１０３とパーソナルコンピュータ１０７を組み合わせて同一のハウジングを共有し、プリント回路基板を共有するコンビネーションテレビシステム１０３の構成という２種類の構成が開示されている。
　以下で、引用文献１について検討するにあたっては、テレビシステム１０３とパーソナルコンピュータ１０７の関係は、コンビネーションテレビシステム１０３であるとして検討する。
　また、（ｂ）以降において、引用文献１の構成とは、コンビネーションテレビシステム１０３を指すものとする。
（ｂ）段落０００３、００２８、００８５の記載から、引用文献１の構成は、ＨＤＭＩ、Ｓ−ＶＩＤＥＯ、ＤＶＩ、ＵＳＢ等の入力ポート（コネクタ）により入力源に接続されるものである。
　また、段落０００３、図１、図２の記載から、入力源として、ＤＶＤ装置などがあり、ＤＶＤ装置は、ＨＤＭＩ、ＤＶＩ、Ｓ−ＶＩＤＥＯなどを介して接続されていることが見てとれる。
（ｃ）段落０００３の記載から、引用文献１の構成は、ケーブル若しくは衛星受信機から受信するためのコネクタを有するものである。
（ｄ）段落００３７の記載及び図２の２１７の「REMOTE COMPUTERS OR SERVERS」との記載から、引用文献１のコンピュータ１０７は、インターネットなどのネットワークを介して遠隔にあるサーバと接続されている。
　上記（ａ）で検討したように、引用文献１の構成が、構成Ｂを指すものとする場合には、引用文献１の構成は、インターネットなどのネットワークを介して遠隔にあるサーバと接続されているものである。
（ｅ）段落００８５、００８６の記載から、引用文献１の構成には、処理装置が含まれ、当該処理装置は、入力ポートと通信し、入力源の選択を制御する汎用プロセッサであり、記憶装置を含むものである。
（ｆ）段落００８６の記載から、引用文献１の構成に含まれる処理装置は、表示装置に対して出力信号を生成している。ここで、段落００３０、００３９の記載を併せると、表示装置はテレビモニタのディスプレイを指すものである。
　すなわち、引用文献１の構成は、処理装置が生成する出力信号を受信するテレビモニタのディスプレイを含むものである。
（ｇ）段落００８６の記載から、引用文献１の構成に含まれる処理装置は、オンスクリーンディスプレイを生成している。
　ここで、段落００３０、００３９、００４１の記載から、オンスクリーンディスプレイは、テレビモニタのディスプレイに表示されるユーザインタフェースメニューであり、利用可能な入力源のそれぞれを標識するアイコンとして表示されるものであり、アイコンのレイアウトは、ユーザによって構成されるか、自動的に選択されるものである。
　また、段落００３９、００４０、図３の記載から、各アイコンは、形状が角丸四角形であり、角丸四角形内に「ＳＥＴＴＩＮＧ」、「ＤＶＤ」、「ＴＶ」、「ＰＣ　ＧＡＭＥＳ」、「ＩＮＴＥＲＮＥＴ」、「ＶＩＤＥＯ　ＯＮ　ＤＥＭＡＮＤ」と表示されている。
　以上まとめると、引用文献１の構成に含まれる処理装置は、利用可能な入力源のそれぞれを標識するアイコンとしてテレビモニタのディスプレイに表示されるユーザインタフェースメニューを生成するものであり、前記アイコンのレイアウトは、ユーザによって構成されるか、自動的に選択されるものであり、各アイコンは、形状が角丸四角形であり、角丸四角形内に「ＳＥＴＴＩＮＧ」、「ＤＶＤ」、「ＴＶ」、「ＰＣ　ＧＡＭＥＳ」、「ＩＮＴＥＲＮＥＴ」、「ＶＩＤＥＯ　ＯＮ　ＤＥＭＡＮＤ」と表示されているものである。
（ｈ）段落００３９、００４０には、テレビモニタのディスプレイを介してユーザに対して表示できるメニューにおいて、ビデオオンデマンド（ＶＯＤ）３１１の選択によりコンテンツへのアクセスを許可し、インターネット３０９の選択によりアプリケーションを呼び出すことが記載されている。
　そして、段落００５５には、ユーザ入力により、入力源を切り替えることが記載されている。
　したがって、図３における「ＩＮＴＥＲＮＥＴ」、「ＶＩＤＥＯ　ＯＮ　ＤＥＭＡＮＤ」と表示されているアイコンの選択により、入力源をインターネットやＶＯＤに切り替えるものといえる。
　そうすると、図３における「ＤＶＤ」３０３、「ＴＶ」３０５についても同様に、「ＤＶＤ」、「ＴＶ」と表示されているアイコンの選択により、入力源をＤＶＤやテレビに切り替えるものといえる。
　以上をまとめると、引用文献１の構成は、「ＤＶＤ」、「ＴＶ」、「ＩＮＴＥＲＮＥＴ」、「ＶＩＤＥＯ　ＯＮ　ＤＥＭＡＮＤ」と表示されているアイコンの選択により、入力源をＤＶＤ、ＴＶ、インターネット、ＶＯＤに切り替えるものである。
（ｉ）段落００４０の記載から、引用文献１のコンピュータ１０７は、「ＩＮＴＥＲＮＥＴ」を選択するとウェブブラウザを起動するものである。
（ｊ）上記（ａ）〜（ｉ）より、引用文献１には、以下の発明（以下、「引用発明」という。）が開示されている。
　なお、ａ〜ｉについては、説明のために当審にて付したものである。
 （以下、「構成ａ」〜「構成ｉ」という。）
（引用発明）
「ａ　ＨＤＭＩ、Ｓ−ＶＩＤＥＯ、ＤＶＩ、ＵＳＢ等の入力ポート（コネクタ）により入力源に接続され、ここで、入力源として、ＤＶＤ装置などがあり、ＤＶＤ装置は、ＨＤＭＩ、ＤＶＩ、Ｓ−ＶＩＤＥＯなどを介して接続され
　ｂ　ケーブル若しくは衛星受信機から受信するためのコネクタを有し、
　ｃ　インターネットなどのネットワークを介して遠隔にあるサーバと接続され、
　ｄ　入力ポートと通信し、入力源の選択を制御する汎用プロセッサであり、記憶装置を含む処理装置を含み、
　ｅ　前記処理装置が生成する出力信号を受信するテレビモニタのディスプレイを含み、
　ｆ　前記処理装置は、利用可能な入力源のそれぞれを標識するアイコンとしてテレビモニタのディスプレイに表示されるユーザインタフェースメニューを生成するものであり、前記アイコンのレイアウトは、ユーザによって構成されるか、自動的に選択されるものであり、各アイコンは、形状が角丸四角形であり、角丸四角形内に「ＳＥＴＴＩＮＧ」、「ＤＶＤ」、「ＴＶ」、「ＰＣ　ＧＡＭＥＳ」、「ＩＮＴＥＲＮＥＴ」、「ＶＩＤＥＯ　ＯＮ　ＤＥＭＡＮＤ」と表示され、
　ｇ　「ＤＶＤ」、「ＴＶ」、「ＩＮＴＥＲＮＥＴ」、「ＶＩＤＥＯ　ＯＮ　ＤＥＭＡＮＤ」と表示されているアイコンの選択により、入力源をＤＶＤ、ＴＶ、インターネット、ＶＯＤに切り替え、
　ｈ　「ＩＮＴＥＲＮＥＴ」を選択するとウェブブラウザを起動し、
　ｉ　テレビシステムとパーソナルコンピュータを組み合わせて同一のハウジングを共有し、プリント回路基板を共有したコンビネーションテレビシステム。」
（２）引用文献２の記載事項及び引用文献２技術について
（２−１）引用文献２の記載事項
　当審が通知した拒絶理由に、引用文献２として引用された特開２００６−２９３３２１号公報には、「表示装置信号源の選択方法」（発明の名称）として図面とともに以下の事項が記載されている。
【００１７】
  図２は、本発明の一実施形態に係る表示装置（例えば、
デジタルテレビ
の信号源選択方法による選択メニュー
【００１８】
　図２の
選択メニュー２０１は、信号源からの映像信号の映像内容を表示するのみならず、信号源の状態も表示し、
信号のある状態（正常に再生できる）、
接続されていない状態（対応する入力端子が接続されていない）、
（２−２）引用文献２技術
　上記（２−１）より、引用文献２には、「デジタルテレビの信号源の選択方法において、選択メニューは、信号源からの映像信号の映像内容を表示するのみならず、接続されていない状態（対応する入力端子が接続されていない）も表示する技術。」（以下、「引用文献２技術」という。）が記載されている。
（３）引用文献３の記載事項及び引用文献３技術について
（３−１）引用文献３の記載事項
　当審が通知した拒絶理由に、引用文献３として引用された特開２０１０−２７３１７９号公報には、「映像表示装置」（発明の名称）として図面とともに以下の事項が記載されている。
【００１８】
  
本発明に係る映像表示装置は、
以下、テレビ装置に適用した例のみを示す
【００４８】
  
図７は、外部入力選択画面の表示の一例を示す図である。
【００４９】
  
図８は、外部入力選択画面に表示されるアイコンの一例を示す図である。アイコンは入力端子毎に生成され、接続されている外部機器を表す画像２４
接続された外部機器の各種情報を表示するボックス２５
【００５３】
  図９は、接続経過時間により表示に変化を持たせた外部入力選択画面の表示の一例を示す図である。接続経過時間が短い外部入力のアイコン２２ａには新しい接続であることを示す図形２０を、接続経過時間が長い外部入力のアイコン２２ｂには外部機器の買い換えを進める図形２１を表示する。この場合、図形２０や図形２１のような表示に用いる図形を、接続経過時間と対応付けて記憶部５に予め記憶しておく。
　ここで、図７、９の入力４について見ると、接続されている外部機器を表す画像の代わりに「Ｎｏ　ｉｍａｇｅ」と表示されており、「入力４：接続なし」との記載が見てとれる。すなわち、接続なしの場合も接続なしであることを表示するものである。
（３−２）引用文献３技術
　上記（３−１）より、引用文献３には、「テレビ装置などの映像表示装置において、外部入力選択画面は、入力端子毎に生成されるアイコンに、接続されている外部機器を表示し、接続なしの場合も接続なしであることを表示する技術。」（以下、「引用文献３技術」という。）が記載されている。
第５　本願発明と引用発明の対比と、一致点・相違点の認定
（１）対比
（ａ）本願発明の構成Ａ１と引用発明の構成ａについて
　構成ａは、「ＨＤＭＩ、Ｓ−ＶＩＤＥＯ、ＤＶＩ、ＵＳＢ等の入力ポート（コネクタ）により入力源に接続され」ていることから、ＨＤＭＩ、Ｓ−ＶＩＤＥＯ、ＤＶＩ、ＵＳＢ等のインターフェースを含むものである。
　そして、ＨＤＭＩ、Ｓ−ＶＩＤＥＯ、ＤＶＩ、ＵＳＢ等のインターフェースは、構成Ａの「ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種」に相当する。
（ｂ）本願発明の構成Ａ２と引用発明の構成ｂについて
　構成ｂの「ケーブル若しくは衛星受信機」は、いずれもＴＶを視聴するための機器であり、これらから受信するためのコネクタは、構成Ａ２の「ＴＶインターフェース」に相当する。
（ｃ）本願発明の構成Ａ３と引用発明の構成ｃについて
　構成ｃの「インターネットなどのネットワークを介して」「接続され」ることは、インターネットなどのネットワークと接続するためのコネクタを有しているものといえる。
　そして、インターネットなどのネットワークと接続するためのコネクタは、構成Ａ３の「ネットワークインターフェース」に相当する。
（ｄ）本願発明の構成Ａについて
　上記（ａ）〜（ｃ）で検討したように、構成ａ〜ｃは構成Ａ１〜Ａ３に相当する。引用発明の構成ａ〜ｃをインターフェースとしてまとめると、インターフェースとしてまとめた構成は、本願発明の構成Ａ１と構成Ａ２と構成Ａ３とを含む構成Ａである「ハードウェアインターフェース」に相当する。
（ｅ）本願発明の構成Ｂと引用発明の構成ｂ〜ｄについて
　構成ｄの「処理装置」は、「入力ポートと通信」するものであるし、構成ｂの「ケーブル若しくは衛星受信機」と通信するものである。
　そして、引用発明は、構成ｉのように「テレビシステムとパーソナルコンピュータを組み合わせて同一のハウジングを共有し、プリント回路基板を共有したコンビネーションテレビシステム」であるから、構成ｄの「処理装置」は、構成ｃの「インターネットなどのネットワークを介して遠隔にあるサーバ」とも通信するものである。
　ここで、通信するためには、電気的に接続されているものといえる。
　さらに、プロセッサと記憶装置を１つのチップとすることは、一般的に行われており、プロセッサは「入力源の選択を制御する」ものであるから、構成ｄの「入力源の選択を制御する汎用プロセッサであり、記憶装置を含む処理装置」は、構成Ｂの「制御チップ」に相当する。
　そうすると、構成ｄの「入力ポートと通信し、入力源の選択を制御する汎用プロセッサであり、記憶装置を含む処理装置」は、構成Ｂの「前記各ハードウェアインターフェースとそれぞれ電気的に接続された制御チップ」に相当する。
（ｆ）本願発明の構成Ｃと引用発明の構成ｅについて
　上記（ｅ）で検討したように、構成ｅの「処理装置」は、構成Ｃの「制御チップ」に相当する。
　また、構成ｅの「テレビモニタのディスプレイ」は、構成Ｃの「ディスプレイ」に相当する。
　ここで、構成ｅは「処理装置が生成する出力信号を受信するテレビモニタのディスプレイ」であるから、処理装置とテレビモニタのディスプレイが、電気的に接続されているものといえる。
　したがって、構成ｅは、構成Ｃに相当する。
（ｇ）本願発明の構成Ｄと引用発明の構成ａ〜ｃについて
　構成ａより「ＤＶＤ装置は、ＨＤＭＩ、ＤＶＩ、Ｓ−ＶＩＤＥＯなどを介して接続され」、構成ｂより「ケーブル若しくは衛星受信機」はコネクタに接続され、構成ｃより「遠隔にあるサーバ」は、「インターネットなどのネットワークを介して」接続されており、上記（ｃ）で検討したように、ネットワークと接続するためのコネクタを有しているものである。
　そうすると、引用発明のコネクタは、ＤＶＤ装置、ケーブル若しくは衛星受信機、遠隔にあるサーバを接続するものといえる。
　上記（ａ）〜（ｄ）で検討したように、引用発明の構成ａ〜ｃをインターフェースとしてまとめると、本願発明の構成Ａ１と構成Ａ２と構成Ａ３とを含む構成Ａである「ハードウェアインターフェース」に相当する。
　また、引用発明の「ＤＶＤ装置」、「ケーブル若しくは衛星受信機」、「遠隔にあるサーバ」は、いずれも構成Ｄの「信号源」に相当する。
　したがって、引用発明は、構成Ｄの「前記ハードウェアインターフェースには、それぞれ、同一の信号源を接続するか、或いは、互いに異なる信号源を接続」する構成に相当する構成を有している。
　そして、引用発明の「ＤＶＤ装置」はＤＶＤのようなローカル再生されるアプリケーションリソースを提供し、「ケーブル若しくは衛星受信機」は、ＴＶに関連するアプリケーションリソースを提供し、「遠隔にあるサーバ」は、インターネットを介してアプリケーションリソースを提供するものといえる。
　したがって、引用発明の「ＤＶＤ装置」、「ケーブル若しくは衛星受信機」、「遠隔にあるサーバ」は、それぞれ、コネクタを介して、アプリケーションリソースを提供するものである。
　したがって、引用発明は、構成Ｄの「各々の信号源は、前記ハードウェアインターフェースを用いて、少なくとも一種のアプリケーションリソースを提供」する構成に相当する構成を有している。
　よって、構成ａ〜ｃより、引用発明は、構成Ｄに相当する構成を有している。
（ｈ）本願発明の構成Ｅと引用発明の構成ｃ、ｇ、ｈについて
　上記（ｃ）、（ｇ）で検討したように、構成ｃの「遠隔にあるサーバ」は、インターネットなどのネットワークと接続するためのコネクタを介してアプリケーションリソースを提供するものといえる。
　ここで、構成ｇの「ＶＯＤ」は、通常インターネットを介して受信されるものであるから、遠隔にあるサーバに接続するものであり、遠隔にあるサーバは、ＶＯＤというアプリケーションリソースを提供するものといえる。
　また、構成ｈにおいて「インターネットを選択するとウェブブラウザを起動」する場合も遠隔にあるサーバに接続するものであり、インターネットを選択すると、遠隔にあるサーバは、ウェブブラウザに表示するアプリケーションリソースを提供するものといえる。
　そして、ＶＯＤというアプリケーションリソースとウェブブラウザに表示するアプリケーションリソースはアプリケーションリソースのタイプの異なるものといえ、複数のアプリケーションリソースが提供されるものといえる。
　そうすると、引用発明のインターネットなどのネットワークと接続するためのコネクタは、タイプの異なる複数のアプリケーションリソースを提供する遠隔にあるサーバに接続しているものである。
　
　よって、構成ｃ、ｇ、ｈより、引用発明は、構成Ｅに相当する構成を有している。
（ｉ）本願発明の構成Ｆと引用発明の構成ｄについて
　構成ｄの「処理装置」は、「汎用プロセッサであり、記憶装置を含む」ものであるから、構成Ｆの「前記制御チップは、プロセッサ及びメモリを含」むものに相当する。
（ｊ）本願発明の構成Ｇ２と引用発明の構成ｂ、ｆ、ｇについて
　上記（ｇ）で検討したように、構成ｂの「ケーブル若しくは衛星受信機」は、ＴＶに関連するアプリケーションリソースを提供するものといえる。
　そして、構成ｆ、ｇより、テレビモニタのディスプレイに表示されるユーザインタフェースメニューにおける「ＴＶ」と表示されている１つのアイコンの選択によりＴＶに切り替えられることから、引用発明の処理装置は、ケーブル若しくは衛星受信機からのＴＶに関連するアプリケーションリソースを１組にまとめて、「ＴＶ」と表示されている１つのアイコンを表示するものといえる。
　したがって、構成ｂ、ｆ、ｇより、引用発明の処理装置は、『ケーブル若しくは衛星受信機から受信するためのコネクタから提供されるＴＶに関連するアプリケーションリソースを、１組にまとめている』ものといえる。
　構成ｂの「ケーブル若しくは衛星受信機から受信するためのコネクタ」は、構成Ｇ２の「ＴＶインターフェース」に相当する。
　また、『ＴＶに関連するアプリケーションリソースを、１組にまとめている』ことは、構成Ｇ２の「全てのアプリケーションリソースを、一組のアプリケーションリソースに分け」ることに相当する。
　よって、構成ｂ、ｆ、ｇより、引用発明は、構成Ｇ２に相当する構成を有している。
（ｋ）本願発明の構成Ｇ３と引用発明の構成ａ、ｆ、ｇについて
　構成ａより、「ＤＶＤ装置は、ＨＤＭＩ、ＤＶＩ、Ｓ−ＶＩＤＥＯなどを介して接続され」ており、ＨＤＭＩ、ＤＶＩ、Ｓ−ＶＩＤＥＯなどから、ＤＶＤに関連するアプリケーションリソースが提供されているといえる。
　そして、構成ｆ、ｇより、テレビモニタのディスプレイに表示されるユーザインタフェースメニューにおける「ＤＶＤ」と表示されている１つのアイコンの選択によりＤＶＤに切り替えられることから、引用発明の処理装置は、ＤＶＤ装置からのＤＶＤに関連するアプリケーションリソースを１組にまとめて、「ＤＶＤ」と表示されている１つのアイコンを表示するものといえる。
　したがって、構成ａ、ｆ、ｇより、引用発明の処理装置は、『ＨＤＭＩ、ＤＶＩ、Ｓ−ＶＩＤＥＯなどから提供されるＤＶＤに関連するアプリケーションリソースを、１組にまとめている』ものといえる。
　構成ａはＨＤＭＩ、ＤＶＩ、Ｓ−ＶＩＤＥＯ等のコネクタにより接続されているものであり、ＨＤＭＩ、ＤＶＩ、Ｓ−ＶＩＤＥＯ等のコネクタは、構成Ｇ３の「前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェース」に相当する。
　また、『ＤＶＤに関連するアプリケーションリソースを、１組にまとめている』ことは、構成Ｇ３の「全てのアプリケーションリソースを、一組のアプリケーションリソースに分け」ることに相当する。
　よって、構成ａ、ｆ、ｇより、引用発明は、構成Ｇ３に相当する構成を有している。
（ｌ）本願発明の構成Ｇ４と引用発明の構成ｃ、ｆ、ｇ、ｈについて
　上記（ｈ）で検討したように、構成ｃ、ｇ、ｈより、引用発明のインターネットなどのネットワークと接続するためのコネクタは、タイプが異なる複数のアプリケーションリソースを提供する遠隔にあるサーバに接続しているものである。
　構成ｆ、ｇより、テレビモニタのディスプレイに表示されるユーザインタフェースメニューにおいては、「ＶＩＤＥＯ　ＯＮ　ＤＥＭＡＮＤ」のアイコンは、「ＩＮＴＥＲＮＥＴ」とは別のアイコンで表示されている。
　そうすると、引用発明の処理装置は、インターネットなどのネットワークを介して提供されるアプリケーションリソースを、ＶＯＤとウエブブラウザの起動に分けて、「ＶＩＤＥＯ　ＯＮ　ＤＥＭＡＮＤ」と表示されているアイコンと「ＩＮＴＥＲＮＥＴ」と表示されているアイコンとを表示するものといえる。
　そして、上記（ｈ）で検討したように、ＶＯＤというアプリケーションリソースとウェブブラウザに表示するアプリケーションリソースはアプリケーションリソースのタイプの異なるものといえる。
　したがって、構成ｃ、ｆ、ｇ、ｈより、引用発明の処理装置は、『インターネットなどのネットワークと接続するためのコネクタから提供されるアプリケーションリソースを、タイプに応じて分けている』ものといえる。
　ここで、『インターネットなどのネットワークと接続するためのコネクタ』は、構成Ｇ４の「前記ネットワークインターフェース」に相当する。
　また、『アプリケーションリソースを、タイプに応じて分けている』ことは、構成Ｇ４の「タイプの異なる複数のアプリケーションソースをタイプの種類ごとに複数の組のアプリケーションリソースに分け」ることに相当する。
　よって、構成ｃ、ｆ、ｇ、ｈより、引用発明は、構成Ｇ４に相当する構成を有している。
（ｍ）本願発明の構成Ｇ５と引用発明の構成ｃ、ｆ、ｇについて
　上記（ｇ）で検討したように、引用発明の「ＤＶＤ装置」はＤＶＤのようなローカル再生されるアプリケーションリソースを提供し、「ケーブル若しくは衛星受信機」は、ＴＶに関連するアプリケーションリソースを提供している。
　したがって、引用発明は、構成Ｇ５のような「前記アプリケーションリソースのタイプは、テレビアプリケーションリソース、ローカル再生アプリケーションリソース、オンライン映画テレビアプリケーションリソース、ゲームアプリケーションリソース、イメージアプリケーションリソース、ミュージックアプリケーションリソース、システムアプリケーションリソースの中の少なくとも一種を含」む構成に相当する構成を有するものである。
（ｎ）本願発明の構成Ｇ１について
　上記（ｊ）〜（ｍ）で検討したように、引用発明は、本願発明の構成Ｇ２〜Ｇ５に相当する構成を有するものである。
　また、上記（ｄ）で検討したように、引用発明は、構成Ａの「ハードウェアインターフェース」に相当する構成を有するものである。
　そうすると、引用発明の処理装置は、ＴＶに関連するアプリケーションリソース及びＤＶＤに関連するアプリケーションリソースを、それぞれ１組にまとめ、インターネットから提供されるアプリケーションリソースを、タイプに応じて分けていることから、構成Ｇ１の「各ハードウェアインターフェースにより提供するアプリケーションリソースを以下のように（Ｇ２〜Ｇ４のように）複数の組に分け」ている構成を有するものである。
　また、構成ｆ、ｇより、「ＤＶＤ」、「ＴＶ」、「ＩＮＴＥＲＮＥＴ」、「ＶＩＤＥＯ　ＯＮ　ＤＥＭＡＮＤ」と表示されている各アイコンの選択によりＤＶＤ、ＴＶ、ＩＮＴＥＲＮＥＴ、ＶＩＤＥＯ　ＯＮ　ＤＥＭＡＮＤに切り替えられることから、ＤＶＤ、ＴＶ、ＩＮＴＥＲＮＥＴ、ＶＩＤＥＯ　ＯＮ　ＤＥＭＡＮＤの切り替えは、それぞれが同じ階層から操作されるといえる。
　そうすると、引用発明は、構成Ｇ１の「各組のアプリケーションリソースが同じ操作階層を有」する構成を有するものである。
　よって、引用発明は、構成Ｇ１に相当する構成を有するものである。
（ｏ）本願発明の構成Ｇについて
　上記（ｊ）〜（ｎ）で検討したように、引用発明は、本願発明の構成Ｇ１〜Ｇ５に相当する構成を有するものであり、それぞれの構成は、処理装置が行う構成である。
　そして、「処理装置」は、構成Ｇの「制御チップ」に相当する。
　したがって、引用発明は、構成Ｇに相当する構成を有するものである。
（ｐ）本願発明の構成Ｈと引用発明の構成ｆについて
　構成ｆにおいて、「処理装置は、」「テレビモニタのディスプレイに表示されるユーザインターフェースメニューを生成する」ものであり、処理装置で生成したユーザインターフェースメニューがテレビモニタのディスプレイに表示される。
　ここで、ユーザインターフェースメニューをテレビモニタのディスプレイに表示するために、処理装置が、ユーザインターフェースメニューをテレビモニタのディスプレイに表示させるための信号を生成し、当該信号をテレビモニタのディスプレイに送信することは明らかである。
　そうすると、構成ｆの「前記処理装置は、」「テレビモニタのディスプレイに表示されるユーザインタフェースメニューを生成する」ことにより、『前記処理装置は、ユーザインタフェースメニューをテレビモニタのディスプレイに表示させるための信号を生成する』ものといえる。
　そして、構成ｆの「処理装置」、「ユーザインターフェースメニュー」は、それぞれ、構成Ｈの「制御チップ」、「メインインターフェース」に相当する。
　また、『ユーザインターフェースメニューをテレビモニタのディスプレイに表示させるための信号』は、構成Ｈの「表示信号」に相当する。
　
　したがって、『前記処理装置は、ユーザインタフェースメニューをテレビモニタのディスプレイに表示させるための信号を生成する』ことは、構成Ｈの「前記制御チップは、」「メインインターフェースの表示信号を生成」することに相当する。
　構成ｆの「ユーザインターフェースメニュー」の「アイコン」は、複数（「ＳＥＴＴＩＮＧ」、「ＤＶＤ」、「ＴＶ」、「ＰＣ　ＧＡＭＥＳ」、「ＩＮＴＥＲＮＥＴ」、「ＶＩＤＥＯ　ＯＮ　ＤＥＭＡＮＤ」）であり、形状が角丸四角形であるから、構成Ｈの「幾つかのカードエリア」に相当する。
　また、アイコンのレイアウトは、「ユーザによって構成されるか、自動的に選択される」ものであるから、構成ｆの「ユーザインターフェースメニュー」の「アイコン」は、構成Ｈの「所定のレイアウトによって配列された」ものに相当する。
　そして、上記（ｊ）〜（ｌ）で検討したように、引用発明は、ＴＶに関連するアプリケーションリソースを１組にまとめ、ＤＶＤに関連するアプリケーションリソースを１組にまとめ、インターネットなどのネットワークと接続するためのコネクタから提供されるアプリケーションリソースを、タイプに応じて分けているものであり、それぞれを、「ＴＶ」、「ＤＶＤ」、「ＩＮＴＥＲＮＥＴ」、「ＶＩＤＥＯ　ＯＮ　ＤＥＭＡＮＤ」というアイコンで表示しているものであるから、構成Ｈのように「一組のアプリケーションリソースが一つのカードエリアに対応」するものといえる。
　以上より、構成ｆは、構成Ｈの「前記制御チップは、所定のレイアウトによって配列された幾つかのカードエリアを含むメインインターフェースの表示信号を生成し、ここで、一組のアプリケーションリソースが一つのカードエリアに対応」する構成に相当する。
　しかし、引用発明の「アイコン」は、構成ｆのように、「利用可能な入力源のそれぞれを標識するアイコン」であり、本願発明のように、「アプリケーションリソースが存在しないハードウェアインターフェースが少なくとも一つのカードエリアに対応するように構成」するものではない。
（ｑ）本願発明の構成Ｉと引用発明の構成ｅ、ｆについて
　上記（ｐ）で検討したように、構成ｆは、『前記処理装置は、ユーザインタフェースメニューをテレビモニタのディスプレイに表示させるための信号を生成し、当該信号をテレビモニタのディスプレイに送信する』ものといえる。
　そうすると、構成ｅと構成ｆより、引用発明は、『テレビモニタのディスプレイは、ユーザインタフェースメニューをテレビモニタのディスプレイに表示させるための信号を受信して、ユーザインターフェースメニューを表示させる』ものであるといえる。
　ここで、『テレビモニタのディスプレイ』は、構成Ｉの「ディスプレイ」に相当し、『ユーザインタフェースメニューをテレビモニタのディスプレイに表示させるための信号』は、構成Ｉの「表示信号」に相当し、『ユーザインターフェースメニュー』は、構成Ｉの「メインインターフェース」に相当する。
　したがって、『テレビモニタのディスプレイは、ユーザインタフェースメニューをテレビモニタのディスプレイに表示させるための信号を受信して、ユーザインターフェースメニューを表示させる』ことは、構成Ｉの「前記ディスプレイは、前記表示信号に基づいて前記メインインターフェースを表示させる」ことに相当する。
（ｒ）本願発明の構成Ｊと引用発明の構成ｉについて
　本願明細書の段落００２９の「当該電子デバイスは、テレビ、モニター、一体型パソコン、或いは、ディスプレイプラットフォーム、等であってもよい。」、段落００３４の「本実施例においては、当該電子デバイスが一つのスマートテレビである例を挙げて、説明する。」等の記載からみて、構成ｉは、構成Ｊの「電子デバイス」に相当する。
（２）一致点・相違点
　以上をまとめると、本願発明と引用発明は、以下の点で一致ないし相違する。
（一致点）
「Ａ１　ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種と、
　Ａ２　ＴＶインターフェースと、
　Ａ３　ネットワークインターフェースとを含む
　Ａ　ハードウェアインターフェースと、
　Ｂ　前記各ハードウェアインターフェースとそれぞれ電気的に接続された制御チップ、及び、
　Ｃ　前記制御チップと電気的に接続されたディスプレイとを含み、
　Ｄ　前記ハードウェアインターフェースには、それぞれ、同一の信号源を接続するか、或いは、互いに異なる信号源を接続し、各々の信号源は、前記ハードウェアインターフェースを用いて、少なくとも一種のアプリケーションリソースを提供し、
　Ｅ　前記ネットワークインターフェースは、タイプの異なる複数のアプリケーションリソースを提供する遠隔サーバに接続し、
　Ｆ　前記制御チップは、プロセッサ及びメモリを含み、
　Ｇ　前記制御チップは、
　Ｇ１　各ハードウェアインターフェースにより提供するアプリケーションリソースを以下のように複数の組に分け、ここで、各組のアプリケーションリソースが同じ操作階層を有し、
　Ｇ２　前記ＴＶインターフェースにより提供する全てのアプリケーションリソースを、一組のアプリケーションリソースに分け、
　Ｇ３　前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する全てのアプリケーションリソースを、一組のアプリケーションリソースに分け、
　Ｇ４　前記ネットワークインターフェースにより提供するタイプの異なる複数のアプリケーションソースをタイプの種類ごとに複数の組のアプリケーションリソースに分け、
　Ｇ５　ここで、前記アプリケーションリソースのタイプは、テレビアプリケーションリソース、ローカル再生アプリケーションリソース、オンライン映画テレビアプリケーションリソース、ゲームアプリケーションリソース、イメージアプリケーションリソース、ミュージックアプリケーションリソース、システムアプリケーションリソースの中の少なくとも一種を含み、
　Ｈ’また、前記制御チップは、所定のレイアウトによって配列された幾つかのカードエリアを含むメインインターフェースの表示信号を生成し、ここで、一組のアプリケーションリソースが一つのカードエリアに対応するように構成し、
　Ｉ　前記ディスプレイは、前記表示信号に基づいて前記メインインターフェースを表示させる
　Ｊ　ことを特徴とする電子デバイス。」
（相違点）
　本願発明は、「アプリケーションリソースが存在しないハードウェアインターフェースが少なくとも一つのカードエリアに対応するように構成」するのに対し、引用発明は、そのような構成を有していない点。
第６　判断
（１）相違点について
　引用文献２技術や引用文献３技術のように、テレビ装置などの映像表示装置において、入力端子に何も接続されていない場合でも、何も接続されていない旨の表示をする技術は、周知技術である。
　そして、引用発明の「アイコン」は、構成ｆのように、「利用可能な入力源のそれぞれを標識するアイコン」であるが、利用可能な入力源だけでなく、上記周知技術を利用して、入力端子に何も接続されていない場合でも、何も接続されていない旨の表示を行い、本願発明のように「アプリケーションリソースが存在しないハードウェアインターフェースが少なくとも一つのカードエリアに対応するように構成」することは、当業者が容易に想到し得ることである。
（２）効果について
　本願発明が奏する効果は、その容易想到である構成から当業者が容易に予測し得る範囲内のものであり、同範囲を超える顕著なものでもない。
（３）請求人の主張について
（３−１）意見書における請求人の主張
　請求人は、平成３１年２月５日付けの意見書において、以下の主張をしている。
「（１）補正後の請求項１における少なくとも以下の技術的特徴は、引用文献１〜３に開示乃至示唆されておりません。
　技術的特徴（a）「前記ネットワークインターフェースは、タイプの異なる複数のアプリケーションリソースを提供する遠隔サーバに接続する」こと
　技術的特徴（b）「各組のアプリケーションリソースが同じ操作階層を有する」こと、
及び
　技術的特徴（c）「前記ネットワークインターフェースにより提供するタイプの異なる複数のアプリケーションリソースをタイプの種類ごとに複数の組のアプリケーションリソースに分ける」ことです。
（２）先ず、技術的特徴（a）に対して検討します。「ネットワーク」に関しては、引用文献１に『「インターネット」３０９を選択すると、接続されているコンピュータでWebブラウザを起動（invoke）して、入力ソースをコンピュータに切り替えることができる』（段落【００４０】）ことのみが記載されています。このことから分かるように、引用文献１において、「インターネット」とマークされたカードエリア３０９は、コンピュータのWebブラウザを起動（invoke）するものとして機能します。明らかに、引用文献１には本願発明の「前記ネットワークインターフェースは、タイプの異なる複数のアプリケーションリソースを提供する遠隔サーバに接続する」という技術的特徴を開示乃至示唆しません。
（３）次に、技術的特徴（c）に対して検討します。本願発明は、電子デバイス（例えば、ＴＶ）に接続する遠隔サーバが提供するタイプの異なる複数のアプリケーションリソースをタイプの種類ごとに複数の組のアプリケーションリソースに分けます。一方、引用文献１にはコンピュータのWebブラウザを起動（invoke）することのみを記載していますが、本願発明のような「遠隔サーバが提供するタイプの異なる複数のアプリケーションリソースを複数の組に分ける」ことと「タイプの種類ごとに複数の組のアプリケーションリソースに分ける」こととを開示しません。そのため、引用文献１も上記技術的特徴（c）を開示乃至示唆しません。
（４）また、技術的特徴（b）に対して検討します。本願発明は、スマートテレビの分野において、ユーザーはテレビとネットワークのリソースのみを使用することが多く、他のインターフェースが提供するアプリケーションリソースを無視することがよくあり、こんなヘルパーアプリケーションをよく使用しないか、或いは、完全に使用しないため、こんなヘルパーアプリケーションの使用率が非常に低いという課題に注目します。
　従来において、入力ソースのみ又はアプリケーションリソースのタイプのみに対して複数の組を分けますので、上記課題を解決することができません。これに対して、上記課題を解決するために、本願発明は、入力ソースとアプリケーションリソースのタイプとの間の境界を破り、使用頻度の高いＴＶインターフェースから提供するアプリケーションリソースを一組のアプリケーションリソースに分け、使用頻度の高いネットワークインターフェースにより提供するタイプの異なる複数のアプリケーションリソースをタイプの種類ごとに複数の組のアプリケーションリソースに分け、使用頻度の低い他のすべてのインタフェースから提供されるすべてのアプリケーションリソースを一組のアプリケーションリソースに分け、ここで、各組が同じ操作階層を有します。一方、引用文献１において、アプリケーションリソースのタイプのみに対して複数の組を分け、本願発明のような「入力ソースとアプリケーションリソースのタイプとの間の境界を破る」技術思想を記載しません。
　そのため、引用文献１も上記技術的特徴（b）を開示乃至示唆しません。」
　以上の主張より、請求人は、技術的特徴（ａ）〜（ｃ）は、引用文献１〜３に開示乃至示唆されていないことを主張しているので、各技術的特徴について以下で検討する。
（３−２）技術的特徴（ａ）について
　上記第５（１）（ｈ）で検討したように、引用発明のネットワークと接続するためのコネクタは、タイプの異なる複数のアプリケーションリソースを提供する遠隔にあるサーバに接続しているものである。
　したがって、引用発明は、請求人が技術的特徴（ａ）としている「前記ネットワークインターフェースは、タイプの異なる複数のアプリケーションリソースを提供する遠隔サーバに接続する」構成に相当する構成を有しているものである。
（３−３）技術的特徴（ｂ）について
　上記第５（１）（ｎ）で検討したように、引用発明は、「ＤＶＤ」、「ＴＶ」、「ＩＮＴＥＲＮＥＴ」、「ＶＩＤＥＯ　ＯＮ　ＤＥＭＡＮＤ」と表示されている各アイコンの選択によりＤＶＤ、ＴＶ、ＩＮＴＥＲＮＥＴ、ＶＩＤＥＯ　ＯＮ　ＤＥＭＡＮＤに切り替えることから、ＤＶＤ、ＴＶ、ＩＮＴＥＲＮＥＴ、ＶＩＤＥＯ　ＯＮ　ＤＥＭＡＮＤの切り替えは、それぞれが同じ階層から操作されるといえる。
　したがって、引用発明は、請求人が技術的特徴（ｂ）としている「各組のアプリケーションリソースが同じ操作階層を有する」構成に相当する構成を有しているものである。
（３−４）技術的特徴（ｃ）について
　上記第５（１）（ｌ）で検討したように、引用発明の処理装置は、インターネットなどのネットワークと接続するためのコネクタから提供されるアプリケーションリソースを、タイプに応じて分けているといえる。
　したがって、引用発明は、請求人が技術的特徴（ｃ）としている「前記ネットワークインターフェースにより提供するタイプの異なる複数のアプリケーションリソースをタイプの種類ごとに複数の組のアプリケーションリソースに分ける」構成に相当する構成を有しているものである。
（３−５）小括
　上記（３−２）〜（３−４）より、請求人の主張はいずれも理由がないものである。
第７　むすび
　以上のとおり、本願発明は、引用発明及び引用文献２、３に記載されたような周知技術に基づいて、当業者が容易に発明をすることができたものであるから、特許法第２９条第２項の規定により、特許を受けることができない。
　したがって、他の請求項に係る発明について検討するまでもなく、本願は拒絶すべきものである。
　よって、結論のとおり審決する。